(57)【要約】【課題】段板の底面側に収納のための空間である収納部と、収納部から出入り自在に収納された内箱を備えた階段に、内箱が地震時に収納部から飛び出す事態を防止する機能を持たせる。【解決手段】側桁１に支持される段板２、２を有し、上下に隣接する段板２、２間における上段側の段板２の下に、上下に対向する底板５１と上板５２を有する収納部５が、側桁１に支持された状態で配置され、収納部５の内部に、収納部５の底板５１に対向する底板９１を有する内箱９が収納部５から出入り自在に収納された階段において、  収納部５の底板５１と内箱９の底板９１の少なくともいずれか一方に、内箱９が収納部５に収納された状態から突出の向きに移動するときに、内箱９と収納部５を互いに係合させるストッパ６を設置する。  内箱９が収納部５に収納された平常状態で内箱９の上方に、内箱９と収納部５の係合状態を解除するためのクリアランスを確保する。【選択図】図１
2011127309.tif 000002
【特許請求の範囲】
【請求項１】
側桁に支持される段板を有し、上下に隣接する前記段板間における上段側の段板の下に、上下に対向する底板と上板を有する収納部が、前記側桁に支持された状態で配置され、前記収納部の内部に、前記収納部の底板に対向する底板を有する内箱が前記収納部から出入り自在に収納された階段において、
前記収納部の底板と前記内箱の底板の少なくともいずれか一方に、前記内箱が前記収納部に収納された状態から突出の向きに移動するときに、前記内箱と前記収納部を互いに係合させるストッパが設置され、
前記内箱が前記収納部に収納された平常状態で前記内箱の上方に、前記内箱と前記収納部の係合状態を解除するためのクリアランスが確保されていることを特徴とする安全機能付き階段収納部。
【請求項２】
前記ストッパと、前記内箱と前記収納部のいずれかの底板は互いに上向きに係合可能であることを特徴とする請求項１に記載の安全機能付き階段収納部。
【請求項３】
前記ストッパに係合する前記内箱と前記収納部のいずれかの底板の被係合部は、上方から下方へかけて収納部の奧側から表面側へ向かう傾斜が付けられた傾斜面を有していることを特徴とする請求項２に記載の安全機能付き階段収納部。
【発明の詳細な説明】
【技術分野】
【０００１】
本発明は段板の底面側に収納のための空間である収納部と、収納部から出入り自在に収納された内箱を備えた階段に、内箱が地震時に収納部から飛び出す事態を防止する機能を持たせた安全機能付き階段収納部に関するものである。
【背景技術】
【０００２】
階段背面の空間は階段の全長に亘って一定の高さを確保することができない形態になる関係から、何らかの収納の目的で利用されることが多い（特許文献１〜３参照）。
【０００３】
段板が側桁（側板）に支持される形式の階段では、階段背面の空間の高さが段板毎に相違するため、空間を有効に活用する上で、高さの差を利用することも行われる（特許文献１参照）。但し、高さ毎に区分された空間の大きさが不規則になるため、階段の見栄えが極端に低下する不利益がある。
【０００４】
一組の蹴込み板と段板とで区画される空間を収納部として利用した場合には（特許文献２参照）、収納部が段板の下に配置される上、収納のための空間の大きさが統一されるため、収納部の存在による階段の見栄えへの影響が回避される。また収納部が蹴込み板の背面に配置されることで、階段背面の空間を無駄なく、有効に活用できる利点もある。
【０００５】
段板が階段両側の側桁に支持される場合、蹴込み板は必ずしも段板を支持する必要がないため、階段の必須の要素にはならない。蹴込み板は上下の段板間に跨って配置されることで、上段側の段板の曲げ変形（へこみ）を防止する機能と、上下の段板間の隙間を閉塞し、開口からの物体の落下を防止する機能を有するに過ぎない。
【０００６】
これに対し、特許文献２では段板（踏み板）を上段側の蹴込み板に回転自在に支持させながら、下段側の蹴込み板上に載置し（段落００４０、００４１）、蹴込み板に段板を直接支持する機能と、その変形を防止する機能を与えているため、通常の階段にない特有の問題が発生する。
【０００７】
特許文献２では段板（踏み板）を上段側の蹴込み板への支点回りに回転自在に支持させることで、段板の下に形成される収納部を開閉自在にしているため、繰り返される開閉動作により段板と蹴込み板の接触部分が磨耗、あるいは変形する可能性がある。特に収納部の閉鎖時には段板の背面が蹴込み板の上端に衝突するため、衝突による双方の磨耗や損傷の影響は無視できないと考えられる。磨耗等の結果、時間の経過と共に、収納部の閉鎖状態での段板の安定性が低下することが想像され、安定性の低下に伴い、上段側蹴込み板への支点に損傷を与える可能性もある。
【０００８】
また段板と側板との間には、段板の回転が側板に阻害されないための空隙が確保される必要があり、段板のヒンジ側の蹴込み板には、段板との干渉を回避するための空隙が確保される必要があるが、これらの空隙には埃が溜まり易いため、収納部は常に埃が入り込み得る状態に置かれている。
【０００９】
特許文献１、２の不都合を踏まえ、出願人は先に階段背面における空間を有効に活用しながら、段板の安定性に影響を与えない形態の収納部付きの階段を提案している（特許文献３参照）。この特許文献３では上下に隣接する段板間に、外部材から構成される収納部を配置し、側桁に支持させることで、上下に隣接する段板間単位で収納部を形成し、収納のための空間の大きさを統一すると共に、収納部の存在が階段の外観に与える影響を回避している。
【先行技術文献】
【特許文献】
【００１０】
【特許文献１】特開２００３−２３９４８３号公報（請求項１、段落００１６〜００３６、図１〜図８）
【特許文献２】特開２００５−９０９２号公報（請求項１、段落００４０〜００４２、００５５〜００６５、図１、図２）
【特許文献３】特許第４０３８５２６号公報（請求項１、段落００１１〜００６１、図１〜図９）
【発明の概要】
【発明が解決しようとする課題】
【００１１】
特許文献３では収納部を上下の段板間に配置するため、収納部内に収納される収納物（内箱）の出し入れを上下の段板間を通じて行うことができる結果、段板を開閉させる必要がなく、段板の開閉に起因する磨耗や損傷を回避することができ、段板の安定性を維持できる利点を得ている。
【００１２】
しかしながら、収納部内に引き出しとしての内箱を収納したことで、地震時に地震力（水平力）によって内箱が速度を持って飛び出す事態が想定されるため、段板間の収納部に内箱を出し入れ自在に収納したことに特有の、地震時の飛び出しの問題が伴うことになる。
【００１３】
本発明は上記背景より、特許文献３において内箱が地震時に収納部から飛び出す事態を防止する機能を持たせた安全機能付き階段収納部を提案するものである。
【課題を解決するための手段】
【００１４】
請求項１に記載の安全機能付き階段収納部は、側桁に支持される段板を有し、上下に隣接する前記段板間における上段側の段板の下に、上下に対向する底板と上板を有する収納部が、前記側桁に支持された状態で配置され、前記収納部の内部に、前記収納部の底板に対向する底板を有する内箱が前記収納部から出入り自在に収納された階段において、
前記収納部の底板と前記内箱の底板の少なくともいずれか一方に、前記内箱が前記収納部に収納された状態から突出の向きに移動するときに、前記内箱と前記収納部を互いに係合させるストッパが設置され、
前記内箱が前記収納部に収納された平常状態で内箱の上方に、前記内箱と前記収納部の係合状態を解除するためのクリアランスが確保されていることを構成要件とする。
【００１５】
側桁はささら桁を含む。収納部は段板の下に配置されるため、最下段の段板の下（床面の直上）から配置可能である。収納部を構成する底板と上板は側桁には直接、もしくは段板を介して間接的に支持される。
【００１６】
内箱上方のクリアランスは例えば内箱の上端と収納部の上板との間に、または内箱上端と蹴込み板、もしくはその背面に一体化する後述のフレームの開口との間に確保される。
【００１７】
内箱は底板を有するから、その底板が収納部の底板と対向した状態で収納部内に収納されるため、ストッパは内箱の底板と収納部の底板のいずれか、または双方に設置され、接続される（取り付けられる）か、固定される。以下、接続には固定を含む。ストッパは平常時に収納部の底板、もしくは内箱の底板のいずれかに、内箱の突出の向き、すなわち内箱が引き出される（飛び出す）向きに係合し得る状態にあり、ストッパによって内箱が収納部と係合し得る状態を維持することで、地震時に内箱が収納部（階段）から突出する（飛び出す）事態を回避（防止）する。
【００１８】
内箱が収納部と係合し得る状態は、図１、図２に示すように収納部の底板の内箱側（上側）に接続（固定）されたストッパに内箱の底板が内箱の突出の向きに係合する場合と、図３に示すように内箱の底板の収納部側（下側）に接続（固定）されたストッパが収納部の底板に内箱の突出の向きに係合する場合がある。
【００１９】
ストッパが平常時に内箱、もしくは収納部の底板の少なくともいずれかに、内箱の突出の向きに係合し得る状態は、底板にストッパが係合する溝状、もしくは突起状の被係合部を形成することによって得られる。溝状の被係合部は図２、図３に示すように底板の一部を切り欠くことにより形成され、突起状の被係合部は底板に何らかの部品や留め具を付加し、接合することにより形成される。
【００２０】
平常時にストッパが内箱と収納部のいずれかの底板の被係合部に係合し得る状態にあり、内箱の収納部からの突出が防止された状態にあることで、ストッパの係合を解除しながら、内箱を収納部から引き出すには、図４−（ａ）に示すようにストッパと底板が係合しないよう、内箱を収納部内で持ち上げる操作を必要とする。
【００２１】
内箱が収納部内で持ち上げられ、ストッパが底板から分離させられる必要から、内箱が収納部に収納された平常状態では、内箱の上方、例えば内箱とその上に位置する段板、もしくは蹴込み板との間に、図１に示すように内箱が上昇する分以上のクリアランスＣが確保される。内箱の底板と収納部の底板は接触している場合とクリアランスＣを持って分離している場合がある。
【００２２】
内箱９の引き出し時、内箱９は収納部５の表面側に露出する前板９４が手で保持され、持ち上げられることで、図４−（ａ）に示すように前板９４側が上昇して奥行き方向に傾斜する。内箱９は傾斜した状態になることで、ストッパ６と底板９１（５１）との係合が解除され、収納部５から離脱可能になり、そのまま階段の表面側に引かれることで、収納部５から引き出される。
【００２３】
内箱９がクリアランスＣの範囲内で持ち上げられ、収納部５から引き出されるときには、ストッパ６が内箱９、もしくは収納部５の底板９１（５１）に例えば摺動しながら引き出される。ストッパ６にはいずれかの底板９１（５１）に形成される溝、もしくは接続されるレールに沿って摺動することもある。引き出された内箱９の収納部５への復帰時には、引き出された内箱９の底板９１がストッパ６に接触しているから、内箱９は単純に収納部５の奥側へ押し戻される（押し出される）ことにより収納状態に復帰する。
【００２４】
内箱９の上方にクリアランスＣが確保されることで、地震時に内箱９がクリアランスＣの範囲で衝撃的に浮き上がることが想定されるが、この衝撃的な浮き上がりはストッパ６と、内箱９と収納部５のいずれかの底板９１（５１）が互いに上向きに係合可能であることにより（請求項２）回避することが可能である。
【００２５】
図２の場合、平常時には内箱９の底板９１が収納部５の底板５１の上面に接続されたストッパ６に内箱９の突出の向きに係合し得る状態にあり、内箱９がストッパ６に突出の向きに係合したときに、上向きにも係合する状態になる。図３の場合、平常時には内箱９の底板９１の下面に接続されたストッパ６が収納部５の底板５１に突出の向きに係合し得る状態にあり、ストッパ６が突出の向きに係合したときに、上向きにも係合した状態になる。
【００２６】
具体的にはストッパ６が収納部５の底板５１に接続される図２の場合も、内箱９の底板９１に接続される図３の場合も、内箱９が収納部５に、突出の向きと上向きに係合することは、ストッパ６に係合するいずれかの底板９１（５１）の被係合部７が、上方から下方へかけて収納部５の奧側から表面側へ向かう傾斜が付けられた傾斜面７ａを有することにより可能になる（請求項３）。
【００２７】
内箱の上方にクリアランスが確保されていることで、地震時に内箱が浮き上がりを伴いながら、収納部から飛び出す事態が想定される。これに対し、請求項２、請求項３ではストッパといずれかの底板が互いに上向きに係合可能であることで、内箱の浮き上がり時にも内箱が収納部に係合した状態を得ることができるから、内箱の浮き上がりを伴う飛び出しを防止することが可能になっている。
【００２８】
請求項３では、図２、図３に示すように被係合部７が上方から下方へかけて収納部５の奧側から表面側へ向かう傾斜が付けられた傾斜面７ａを有することで、傾斜面７ａにストッパ６の先端部が接触したときに、傾斜面７ａとストッパ６の先端部が内箱９の突出の向きと上向きに互いに係合し合うため、内箱９の突出と浮き上がりが拘束される。
【００２９】
図２の場合には、内箱９の底板９１の下面に形成されている被係合部７にストッパ６の先端部が入り込み、被係合部７の傾斜面７ａがストッパ６に上向きに係合することにより内箱９の浮き上がりがストッパ６に拘束される。図３に場合には、内箱９の底板９１の下面に接続されているストッパ６の先端部が収納部５の底板５１の上面に形成されている被係合部７に入り込み、被係合部７の傾斜面７ａに上向きに係合することにより内箱９の浮き上がりが収納部５の被係合部７に拘束される。
【００３０】
内箱を収納部から引き出した状態から、収納状態に復帰させる際には、前記のように内箱を持ち上げながら収納部に押し出すことで、収納状態に復帰可能である。但し、例えば内箱の収納状態への復帰時に収納部の底板、あるいは内箱の底板との接触により弾性変形し、高さが小さくなる形状の板ばね等の弾性材をストッパに使用すれば、図４−（ｂ）に示すようにストッパと底板との係合を解除した後に内箱の底板を収納部の底板に接触させた状態で、内箱を収納部から引き出すことが可能である。
【００３１】
この場合、図４−（ａ）に示すように内箱９の上昇によりストッパ６の係合が底板９１の被係合部７から解除されたときに、内箱９をそのまま降ろせば、図４−（ｂ）に示すようにストッパ６が内箱９の底板９１と収納部５の底板５１に挟まれて高さ方向に収縮し、内箱９の底板９１が収納部５の底板５１に接触した状態になるため、内箱９を持ち上げずに収納状態に復帰させることが可能になる。
【００３２】
請求項３のように被係合部７が傾斜面７ａを有する場合において、ストッパ６が弾性を有する場合には、内箱９の引き出し時に一旦、内箱９を持ち上げて係合を解除すれば、図４−（ｂ）に示すように内箱９を降ろしたときに、ストッパ６を弾性変形させた状態にすることができる。ストッパ６はいずれかの底板９１（５１）によって弾性変形状態を維持するから、その状態で内箱９を引き出した後、収納状態に復帰させるときまでは、ストッパ６が弾性変形した状態を維持しているため、内箱９を収納状態に復帰させる際には、内箱９を再度、持ち上げる操作を必要としない。
【００３３】
従ってストッパが弾性材で成型される場合、内箱の復帰時には内箱を手で収納部側へ押し戻すことで、内箱の底板、または収納部の底板がストッパを一時的に弾性変形させ、ストッパがいずれかの底板に係合し得る状態のときに、ストッパが復元し、底板に係合した状態に復帰する。
【００３４】
ストッパ６に係合する被係合部７が傾斜面７ａを有する場合（請求項３）に、ストッパ６自身が被係合部７の係合によって弾性変形可能な性質（弾性）を有している場合にはまた、図２−（ｂ）に示すようにストッパ６を内箱９の浮き上がりに追従させ、ストッパ６の復元と共に、内箱９を収納部５内で降下させることが可能である。
【００３５】
更にストッパ６が弾性材で成型される場合、内箱９が突出の向きに移動を開始したときに内箱９とストッパ６が互いに係合する状態にあれば、内箱６の突出（水平移動）によって自動的に内箱９とストッパ６が互いに係合し、そのまま内箱９が浮き上がりを生じても内箱９とストッパ６の係合状態を維持することが可能になる。
【００３６】
例えば図２−（ａ）に示すようにストッパ６が平常時に寝た状態から係合によって起立状態になるように収納部５の底板５１に接続されて（取り付けられて）いる場合には、内箱９の底板９１（被係合部７）がストッパ６に、内箱６の突出の向きに係合することにより図２−（ｂ）に示すように内箱９の底板９１（被係合部７）がストッパ６に上向きにも係合する状態になる。図２の例では内箱９が突出の向きに移動したとき、内箱９の底板９１（被係合部７）がストッパ６に突出の向きと上向きに係合する傾斜が付けられていることで、突出の向きと上向きに係合する状態になる。
【００３７】
内箱９がストッパ６に突出の向きと上向きに係合することは、図３に示すようにストッパ６が内箱９の底板９１に、収納部５の底板５１にストッパ６が係合し得る状態で接続されている場合にも実現される。図３の場合、内箱９の突出によってストッパ６の先端部が収納部５の底板５１（被係合部７）に、突出の向きに係合することにより地震時の飛び出しと浮き上がりが回避される。
【発明の効果】
【００３８】
収納部内に内箱が収納部から出入り自在に収納された階段において、収納部の底板と内箱の底板の少なくともいずれか一方に、内箱が収納部に収納された状態から突出の向きに移動するときに、内箱と収納部を互いに係合させるストッパを設置し、ストッパを平常時に収納部と内箱のいずれかの底板に、内箱の突出の向きに係合し得る状態にしているため、地震時に内箱が収納部（階段）から突出する（飛び出す）事態を回避（防止）することができる。
【図面の簡単な説明】
【００３９】
【図１】（ａ）は本発明の安全機能付き階段収納部の構成例として、収納部の底板にストッパを設置した場合の例を示した階段の中心を通る縦断面図、（ｂ）は（ａ）における前板上端部分の拡大図である。
【図２】（ａ）は図１における内箱の底板と収納部の底板との関係を拡大して示した縦断面図、（ｂ）は内箱が収納部から飛び出しながら浮き上がりを生じるときの底板とストッパの関係を示した縦断面図、（ｃ）はストッパの単体を示した平面図である。
【図３】内箱の底板にストッパを設置し、収納部の底板に被係合部を形成した場合の階段収納部の構成例を示した縦断面図である。
【図４】（ａ）は図２−（ａ）の例の場合に内箱を収納部との係合を解除するために持ち上げたときの様子を示した縦断面図、（ｂ）は係合を解除した後、内箱を降ろしたときの様子を示した縦断面図である。
【図５】（ａ）は収納部と内箱を有する階段の例を示した縦断面図、（ｂ）は（ａ）のＡ−Ａ線矢視図である。
【図６】（ａ）は蹴込み板を補強するフレームの、段板への固定要領を示した縦断面図、（ｂ）は（ａ）の背面図である。
【図７】（ａ）は蹴込み板にフレームを一体化させた様子を示したフレーム側の立面図、（ｂ）は（ａ）のＢ−Ｂ線断面図である。
【図８】（ａ）はフレームが一体化した蹴込み板を示した斜視図、（ｂ）は（ａ）の蹴込み板を側桁間に設置した様子を示した階段背面側の斜視図である。
【図９】収納部と内箱の関係を示した斜視図である。
【図１０】フレームが一体化した蹴込み板の背面に２個の収納部を配置した場合の、収納部と内箱の関係を示した斜視図である。
【図１１】（ａ）は図１０に示す収納部と内箱を階段中に設置し、内箱を引き出したときの様子を示した斜視図、（ｂ）は図１０に示す収納部と内箱を階段中に設置し、内箱を収納部内に格納したときの様子を示した斜視図である。
【図１２】内箱付きの収納部を回り階段に設置したときの様子を示した平面図である。
【発明を実施するための形態】
【００４０】
以下、図面を用いて本発明を実施するための最良の形態を説明する。
【００４１】
図１は側桁１に支持される段板２を有し、上下に隣接する段板２、２間における上段側の段板２の下に、上下に対向する底板５１と上板５２を有する収納部５が、側桁１に支持された状態で配置され、収納部５の内部に、収納部５の底板５１に対向する底板９１を有する内箱９が収納部５から出入り自在に収納された階段収納部の具体例を示している。側桁１は段板２の両側に配置され、段板２はその長さ方向の両側において側桁１、１に支持される。
【００４２】
収納部５の底板５１と内箱９の底板９１の少なくともいずれか一方には、内箱９が収納部５に収納された状態から突出の向きに移動するときに、内箱９と収納部５を互いに係合させるストッパ６が設置され、接続（固定）される。内箱９が収納部５に収納された平常状態で図１に示すように内箱９の上方、例えば内箱９と収納部５の上板５２との間に、内箱９と収納部５の係合状態を解除するためのクリアランスＣが確保されている。
【００４３】
ストッパ６は図１−（ａ）、図２に示すように収納部５の底板５１の上面に接続（固定）される場合と、図３に示すように内箱９の底板９１の下面に接続（固定）される場合があり、その接続側に対向する側の底板９１（５１）に形成される被係合部７に、内箱９の突出時に係合し得る状態に置かれている。
【００４４】
クリアランスＣは具体的には図１−（ａ）に示すように内箱９の上端と収納部５の上板５２との間、または内箱９の上端と後述の蹴込み板３の開口３１、もしくはフレーム４の開口４１の下向き面との間に確保される。内箱９の上端は内箱９を構成する側板９２の上端、もしくは側板９２上を閉塞する、図示しない上板の上面になる。
【００４５】
図１−（ａ）、図２は収納部５の底板５１の上面にストッパ６を接続した場合の例を示している。ストッパ６は内箱９が引き出される（突出する）向きに移動しようとするときに、内箱９に、もしくは収納部５に係合することにより内箱９の突出を防止する機能を有するため、内箱９、もしくは収納部５に内箱９の突出の向きに係合可能な形状をしていればよい。
【００４６】
図３を含め、図面ではストッパ６を接続部６ａと係合部６ｂを有するフック形（Ｖ字形）の形状に形成し、接続部６ａにおいて内箱９の底板９１、もしくは収納部５の底板５１にボルトや釘その他の留め具６１によって接続（固定）しているが、形状と接続方法は一切問われない。
【００４７】
図２−（ｃ）は図２−（ａ）、（ｂ）で使用しているストッパ６の平面を示している。ここに示すように接続部６ａに留め具６１を挿通するために形成される孔が係合部６ｂと干渉しないようにするために、接続部６ａの（内箱９幅方向の）幅は係合部６ｂの幅より大きく、平面上、接続部６ａの、係合部６ｂを外した位置に孔が形成される。この孔の位置に留め具６１が配置される。ストッパ６は内箱９の幅方向には、中央部の一箇所に、または複数箇所に分散して、もしくは連続的に配置される。
【００４８】
図２−（ｃ）を含め、図面では接続部６ａと係合部６ｂを合わせたストッパ６の全体が弾性を有する材料（弾性材料）で成型されている場合の例を示している。ストッパ６が弾性を有することで、図２−（ａ）に示すように内箱９が収納部５内に収納された平常時の状態ではストッパ６全体を寝た状態に保ち、（ｂ）に示すように地震時の内箱９の突出時に被係合部７との係合によって起立し得る状態にしながら、通常時の内箱９の引き出し後の再収納時にストッパ６を寝かせた状態に復帰させることが可能になっている。
【００４９】
図２に示すようにストッパ６が収納部５の底板５１に固定された場合、内箱９の底板９１の下面にはストッパ６の係合部６ｂが係合し得る溝状、もしくは突起状の被係合部７が形成される。図面は溝状の被係合部７を形成した場合を示している。被係合部７はストッパ６の係合部６ｂと内箱９が突出の向きに移動したときに係合し得る位置に、係合し得る向きに形成される。
【００５０】
図２に示すようにストッパ６が収納部５に固定された場合には、その係合部６ｂが内箱９の突出の反対向き、すなわち内箱９が収納部５内に収納される側の向きに係合する位置に、その向きで形成される。図３に示すようにストッパ６が内箱９に固定された場合には、その係合部６ｂが内箱９の突出の向きに係合する位置に、その向きで形成される。
【００５１】
図２の場合、ストッパ６の係合部６ｂが係合する被係合部７の係合面はストッパ６に対して内箱９の収納側（奧側）に位置し、図３の場合はストッパ６に対して内箱９の突出側に位置するが、いずれの場合も、被係合部７の係合面は上方から下方へかけて収納部５の奧側から表面側へ向かう傾斜が付けられた傾斜面７ａを有する。
【００５２】
図２、図３のいずれの場合も、被係合部７の傾斜面７ａが上方から下方へかけて収納部５の奧側から表面側へ向かって傾斜することで、ストッパ６の係合部６ｂの先端部と傾斜面７ａが互いに係合したときに、内箱９の突出の向きに係合すると同時に、内箱９の浮き上がりの向きにも係合する。内箱９が突出の向きと浮き上がりの向きに係合することで、地震時の収納部５からの飛び出しと収納部５内での暴れが防止される。
【００５３】
図２は被係合部７の内周面が傾斜の緩い、後述の前板９４側の面と、傾斜が大きい、後述の後板９２側の面（傾斜面７ａ）の２方向を向いた２面を有している場合の例を示している。ここでは前板９４側の面を平常時にあるときのストッパ６の係合部６ｂの上面に平行になるような形状に形成し、後板９２側の面を内箱９が浮き上がりを生じ、係合部６ｂの先端部が傾斜面７ａに係合したときに係合部６ｂ先端部の傾斜面７ａ側の面と傾斜面７ａとが平行になるような形状に形成している。図３も同様である。
【００５４】
前板９４側の面が係合部６ｂの上面に平行であることで、平常時にその上面がストッパ６の係合部６ｂを下向きに押さえ込んだ状態にすることができる。また後板９２側の面（傾斜面７ａ）が係合部６ｂ先端部の面と平行であることで、図２−（ｂ）に示すようにストッパ６が弾性材料から成型されている場合に、傾斜面７ａが起き上がったときのストッパ６と丁度、係合した状態にすることができる。
【００５５】
図４−（ａ）は平常時における内箱９の引き出し時の様子を示している。内箱９の収納状態では図２−（ａ）に示すように内箱９が持ち上げられることなく、水平に引き出されたときに被係合部７の傾斜面７ａがストッパ６の係合部６ｂに係合し得る状態にあるため、水平に引き出されれば、被係合部７とストッパ６の係合によって内箱９を引き出すことができない。
【００５６】
そこで、図４−（ａ）に示すように内箱９の前板９４側を持ち上げ、被係合部７とストッパ６の係合状態を解除した状態にすることで、（ｂ）に示すように内箱９を前板９４側へ引き出すことが可能になる。内箱９の持ち上げ可能な量は前記したクリアランスＣの大きさ（高さ）に相当するため、このクリアランスＣの範囲内で内箱９が持ち上げられる。
【００５７】
内箱９を一旦、持ち上げて係合状態を解除した図４−（ａ）の状態では、ストッパ６の先端部が被係合部７より後板９２寄りに位置することで、図４−（ｂ）に示すように内箱９を降ろしても被係合部７にストッパ６が入り込むことはないため、内箱９を水平に移動させて引き出すことが可能である。ストッパ６が内箱９の底板９１の底面に固定され、被係合部７が収納部５の底板５１に形成された図３の場合も同様である。
【００５８】
図１−（ａ）、（ｂ）では内箱９の収納状態で、内箱９が完全に収納されきっていない状態を検出するＬＥＤ発光体等の検出器１３を内箱９の前板９４と蹴込み板３との間に配置し、例えば前板９４（検出器１３）が蹴込み板３から分離しているときに、その状態を検出し、信号を発生することにより人に知らせるようにしている。前板９４が蹴込み板３から分離しているときには、ストッパ６が被係合部７に係合していない状態にある可能性があるから、その状態を報知することで、地震時の飛び出しを回避することにつながる。
【００５９】
検出器１３は図１−（ａ）、（ｂ）に示すように例えば蹴込み板３、あるいはフレーム４の一部を切り欠いて形成された空間である電池ボックスに電池１４を収納し、検出器１３に接続しておくことにより常時、使用可能な状態に置かれる。検出器１３が例えばＬＥＤ発光体の場合、検出器１３の上端部に、蹴込み板３の表面に接触しているときに検出器１３の電源がＯＦＦになって消灯し、非接触状態になったときに電源がＯＮになって点灯（発光）する接触式のスイッチを配置しておくことによりストッパ６と被係合部７が係合状態にあるか否かが判明する。
【００６０】
収納部５は図５−（ａ）、図９に示すように上下に対向する底板５１と上板５２と、底板５１と上板５２間に配置される側板５４、５４、及び収納部５の奧側の背面を閉塞する裏板５３から箱状に形成される。図５−（ｂ）は（ａ）のＡ−Ａ線矢視図である。
【００６１】
内箱９は図９に示すように収納部５の形状に対応し、底板９１とその幅方向両側に配置される側板９２、９２と、内箱９の奧側の背面を閉塞する後板９３、及び収納部５の前面（表面）に露出する前板９４から箱状に形成される。前板９４は後述する蹴込み板３の前面（表面）に露出し、内箱９の出し入れのために手で保持され、操作される。内箱９の側板９２、９２の上端間には内箱９の内部を上方から閉塞する上板が配置されることもある。
【００６２】
収納部５が上下に隣接する段板２、２間における上段側の段板２の下に配置されることで、収納部５は上下に隣接する段板２、２間単位で形成されるため、収納のための空間の大きさが統一される上、収納部５の存在が階段の外観に与える影響も回避される。
【００６３】
また収納部５が上下の段板２、２間に形成されることで、収納部５はその内部に収納される内箱９の出し入れを上下の段板２、２間を通じて行う形態になるため、段板２は側桁１に固定状態で接合されればよい。この結果、段板２を開閉させる必要がなく、開閉させることに起因する段板２への磨耗や損傷が回避される。磨耗等の損傷が回避されることは、上下の段板２、２間に後述のフレーム４が配置される場合と、上下の段板２、２間に蹴込み板３が配置される場合にも言える。
【００６４】
収納部５を構成する底板５１と上板５２等は単一で、または複数組み合わせられることにより空間としての収納部の形態を維持する剛性と強度を確保する。底板５１と上板５２等は上段側の段板２、または上下の段板２、２間に配置される後述のフレーム４に接合されることにより側桁１に間接的に支持される他、側桁１に接合されることにより側桁１に直接支持される。
【００６５】
収納部５は基本的には箱形等の筒形に形成されるが、収納部５の形態は任意であり、角錐台形その他の形状にも形成される。収納部５が箱形に形成される場合には、平板状の上下の底板５１と上板５２と側面の側板５４、５４から箱形に組み立てられる。収納部５はこの他、屈曲、もしくは湾曲した形状、あるいは筒状に閉じた形状に形成される場合もある。
【００６６】
段板２が側桁１の背面から突出しない状態に、全幅に亘って側桁１、１に支持された場合、段板２と蹴込み板３の背面側の、側桁１、１に挟まれた領域に直角三角柱状の空間が形成される。この三角柱状の空間は階段の使用上、無駄な空間となり得るが、本発明ではこの空間が収納部５の一部を構成するために利用されるため、階段背面に収納部５を形成しながらも、その体積（容積）を最小に留めることが可能になる。
【００６７】
収納部５が前記の空間内に納まる大きさであれば、階段の背面側への突出が一切ないため、階段背面（階段下）の開放した空間を階段とは分離した別の収納空間としても利用可能になる。突出があっても、収納部５の奥行き（段板２の幅方向の長さ）が段板２の幅程度に留まるか、前記裏板５３が階段の傾斜に平行になれば、突出による階段背面への影響は最小に抑えられる。
【００６８】
例えば前記した特許文献２のように段板の下に確保される収納部を側桁に固定状態で支持させる場合には（段落００４２）、収納部を側桁の幅の範囲内に納める必要があるため、階段は見かけ上、１段に付き、２枚の段板を幅方向に配列させた形になる。この結果、階段の勾配をθとしたとき、段板の幅に収納部の幅を加えた大きさのｓｉｎθ分の幅（高さ）を側桁に与える必要があり、側桁の寸法、並びに質量が大きくなる。
【００６９】
これに対し、本発明のように収納部５を側桁１に支持させる場合には、階段が収納部５を有しながらも、収納部５は前記の通り、段板２と蹴込み板３の背面側の空間を利用して形成されることで、側桁１は収納部５がない場合と同じ幅を持てばよいため、側桁１の寸法と質量を増大させることはない。
【００７０】
図面では上下に隣接する段板２、２間に蹴込み板３が配置され、蹴込み板３の背面に、側桁１に支持されるフレーム４が一体化した階段を示しているが、上下の段板２、２間に収納部５を配置する上では、蹴込み板３とフレーム４は必ずしも必要ではない。蹴込み板３とフレーム４は主に収納部５内への埃等の浸入防止と、段板２の変形防止、並びに階段表面側の外観（見栄え）をよくするために段板２、２間に付加され、フレーム４は蹴込み板３に対し、その補強のために付加される。
【００７１】
上下に隣接する段板２、２間に跨り、側桁１に支持されるフレーム４が配置され、フレーム４の背面側に収納部５が位置している場合には、収納部５に引き出しとしての、前板９４を有する内箱９が収納されることで、上下の段板２、２間から収納部５内への埃等の浸入が防止される。
【００７２】
内箱（引き出し）９は図９〜図１１に示すように収納物を出し入れするために、収納部５に出入り自在に収納される。この内箱９を蹴込み板３の表面から出し入れするために、蹴込み板３には図５−（ｂ）、図６−（ｂ）に示すように内箱９の断面に対応した大きさの開口３１が形成される。開口３１は蹴込み板３の背面に一体化するフレーム４の開口４１に対応した位置に、開口４１と同一の大きさで形成されればよい。
【００７３】
内箱９は図９、図１０に示すように収納部５の形態に応じ、容器形状に形成される。収納部５が箱形の場合、内箱９は底板９１と、その上で幅方向に対向する側板９２、９２と、収納部５の裏板７に対向する後板９３と、後板９３に長さ方向に対向する前板９４から、例えば収納部５に内接し得る大きさで組み立てられる。収納部５の内周に内箱９を摺動させるためのレールが形成、もしくは突設される場合には、内箱９の外周面と収納部５の内周面との間に空隙が確保される。
【００７４】
前板９４は収納部５の内部、または内箱９の内部への埃等の浸入を阻止する機能を持つことから、図５−（ａ）、（ｂ）、図１０に示すように前板９４の縁部分が蹴込み板３の表面側に重なる（重なり代を有する）大きさで形成されることが適切である。
【００７５】
図９、図１０では１個の内箱９を１個の収納部５内に収納していることに対応し、フレーム４の背面に内箱９の数分である２個の収納部５、５を配置しているが、フレーム４の背面に１個の収納部５を配置し、その内部に複数個の内箱９を収納することもある。
【００７６】
収納部５に内箱９が内蔵されることで、フレーム４は収納部５の前面側（階段表面側）における内箱９と収納部５との間の隙間を埋める働きをし、内箱９の前板９４がフレーム４の表面（前面）に接している状態で前板９４が収納部５の蓋になり、収納部５への埃の浸入を阻止する。蹴込み板３が配置される場合には、蹴込み板３の背面にフレーム４が一体化するため、前板９４は蹴込み板３の表面（前面）に接することで、収納部５内への埃等の浸入を阻止する。
【００７７】
フレーム４は側桁１に直接接合される他、側桁１に支持されている上下の段板２、２に接合されることにより側桁１に間接的に支持されるが、側桁１と段板２の双方に接合されることもある。
【００７８】
フレーム４と収納部５は独立して側桁１に支持されるため、両者は必ずしも互いに接合される必要はないが、両者間の隙間の発生による収納部５内への埃等の浸入を防止するために接合されることもある。
【００７９】
収納部５は単独で側桁１に支持されるため、フレーム４の背面に単純に接した状態にあるだけでも安定性を確保するが、例えば収納部５のフレーム４側における埃等の浸入防止効果を高めるために、シール材等を介在させてフレーム４に接合されることもある。フレーム４の背面に接する収納部５の、フレーム４の反対側の端面は開放したままでもよいが、埃等の浸入を防止し、収納部５の剛性と強度を確保する上では、外部材の端面に裏板が接合され、閉塞させられる。
【００８０】
フレーム４は上下に隣接する段板２、２の間に配置され、側桁１に支持されることで、フレーム４の背面側に配置される収納部５のフレーム４側への移動を阻止する働きもする。収納部５はフレーム４とは独立して側桁１に支持されるが、フレーム４側の端面がフレーム４に突き当たることで、フレーム４は収納部５の荷重によって収納部５の側桁１への支持部分に作用し得るモーメントにも抵抗することになる。
【００８１】
フレーム４はまた、上下に隣接する段板２、２間に跨って蹴込み板３が配置された場合には、蹴込み板３の背面に一体化することで、蹴込み板３を補強する機能を有する。蹴込み板３は上下の段板２、２間に跨ることで、段板２、２間の隙間を閉塞する他、上段側の段板２の曲げ変形を防止する働きをするが、この機能は蹴込み板３自身が変形しない程度の曲げ剛性を有することにより発揮される。
【００８２】
そこで、蹴込み板３の背面に、側桁１に支持されるフレーム４が一体化することで、蹴込み板３にフレーム４の強度と剛性が付与され、段板２上の荷重による蹴込み板３の安定性が向上する。蹴込み板３が上段側段板２の底面（下面）に突き当たることにより段板２の荷重の一部を負担する場合には、蹴込み板３はフレーム４から剛性と強度が与えられることで、段板２の変形を防止し、段板２の安定性を高める効果を発揮する。換言すれば、蹴込み板３にフレーム４が一体化することで、フレーム４が蹴込み板３に代わって段板２の変形を拘束し、段板２を安定させる役目を果たすことになる。
【００８３】
フレーム４が蹴込み板３に代わって段板２を支持する場合には、蹴込み板３が段板２を支持する必要から解放されるため、収納部５に収納された内箱９を出し入れするための開口３１を蹴込み板３に形成することの階段設計上の自由度が生まれる。蹴込み板３がない場合、内箱９は基本的にフレーム４から出入りし、蹴込み板３にフレーム４が一体化した場合には、蹴込み板３から内箱９が出入りする。前者の場合、開口４１はフレーム４に形成され、後者の場合にはフレーム４と蹴込み板３に開口４１、３１が形成される。内箱９は収納部５の、フレーム４の反対側から出入りすることもある。
【００８４】
フレーム４に内箱９用の開口４１が形成される場合、開口４１は基本的に内箱９の断面に対応した面積で形成されるが、収納部５の、内箱９を出し入れする側の端面の面積がその反対側の端面の面積以上の大きさであれば、内箱９の出し入れが可能である。フレーム４、またはフレーム４と蹴込み板３には収納部５に配置される内箱９の数に応じた１個、もしくは複数個の開口４１、３１が形成される。
【００８５】
内箱９をフレーム４側から出し入れする場合、内箱９のフレーム４側の端面には内箱９の内部を区画する、前記した前板９４が接合される。この前板９４が内箱９の、フレーム４側の端面に、フレーム４の開口４１を閉塞するように接合されていれば、前板９４を、内箱９を収納部５内に収納するときのストッパとして機能させることができるため、内箱９の出し入れ作業を円滑に行うことが可能になる。蹴込み板３にフレーム４が一体化した場合には、前板９４は蹴込み板３の開口３１を閉塞するように内箱９に接合される。
【００８６】
内箱９の前板９４は内箱９の収納状態でフレーム４や蹴込み板３の開口４１（３１）を塞ぐことで、フレーム４や蹴込み板３の表面（前面）に重なり、階段表面側への隙間の露出をなくすため、階段の外観（見栄え）を向上させる役目も持つ。
【００８７】
フレーム４に内箱９用の開口４１が形成される場合、図５−（ｂ）に示すようにフレーム４の開口４１を除いた残りの縦部分である縦枠部４ａは上下の段板間で支柱として機能し、横部分である横枠部は縦枠部をつなぐ役目を持つため、縦枠部と横枠部は共に一定以上の幅を有する必要がある。フレーム４が段板２を支持することによる段板２の変形拘束効果はフレーム４の長さ方向両側と中央部分に縦枠部４ａを残して開口４１が形成されることが合理的であるが、必ずしもその必要はない。
【００８８】
段板２の側桁１への固定方法は問われないが、段板２は例えば側桁１の外側から側桁１を貫通し、段板２に到達する釘１０やねじ１１等により固定される。側桁１の段板２を支持する部分には段板２の端部が入り込む溝が形成されることもある他、側桁１自体を段板２と蹴込み板３に沿って切り欠き、ささら桁にすることもある。
【００８９】
収納部５は側桁１、１に挟まれた、段板２の下の空間に配置されることから、空間を最大限に確保する意味では、図５−（ａ）に示すように段板２は全幅に亘って側桁１に支持されることが適切であるが、段板２の幅方向の背面側の端部が側桁１から突出することもある。収納部５は全段板２の内、少なくとも一部の段板２の下に配置される。
【００９０】
蹴込み板３は図５−（ａ）に示すように上下の段板２、２間に跨って双方に接合される。図面では上段側の段板２の底面に形成された溝２ａに蹴込み板３の上端部を差し込み、下段側の段板２の側面に蹴込み板３の下端部を重ね、釘１０やねじ１１等により接合しているが、この方法には限られず、蹴込み板３の下端部を下段側の段板２の上面の溝に差し込むこともある。図面ではまた、図７−（ａ）に示すように蹴込み板３の長さ方向の両端部を、これに一体化するフレーム４から突出させ、図６−（ｂ）に示すように蹴込み板３の長さ方向の両端部を側桁１、１に差し込んでいる。
【００９１】
図７、図８は蹴込み板３の背面にフレーム４が接合された様子を示す。ここではフレーム４が側板１に直接、接合されず、段板２に接合される場合の蹴込み板３とフレーム４の関係を示している。フレーム４は蹴込み板３の全面から、段板２と側桁１内に差し込まれる部分を除いた領域に相当する面積を持ち、蹴込み板３にはその段板２と側桁１への差し込み部分以外の領域に重なって接合される。図７−（ａ）中、フレーム４から張り出した蹴込み板３の上側の縁部分が段板２への差し込み部分を、両側の縁部分が側桁１、１への差し込み部分を示している。
【００９２】
フレーム４の蹴込み板３への接合には主に釘１０やねじ１１等が使用されるが、蹴込み板３は段板２上の荷重を負担する必要がないため、接着剤１２のみによっても接合される。図７、図８はフレーム４が接着剤１２により蹴込み板３に仮に接合された状態を示す。この仮接合の状態で、フレーム４と蹴込み板３は図６−（ａ）に示すように両者を貫通する釘１０やねじ１１等により上下の段板２、２に接合される。
【００９３】
図６−（ｂ）、図８−（ｂ）はフレーム４が接合された蹴込み板３を上下の段板２、２間  に配置し、フレーム４と蹴込み板３を両段板２、２に接合した状態の階段背面側の様子を示す。
【００９４】
フレーム４は直接、もしくは段板２を介して間接的に側桁１に支持されることで、収納部５を支持するため、上下の段板２、２にはフレーム４のみが接合されれば足りる。図面では蹴込み板３を上段側の段板２中に差し込むことで、蹴込み板３に段板２の変形を抑制する働きをさせているため、フレーム４と蹴込み板３を貫通する釘１０等により両者を上下の段板２、２に接合している。図８−（ｂ）では上段側の段板２への接合に釘１０を用い、下段側の段板２への接合にねじ１１を使用している。
【００９５】
フレーム４は１枚の板からなる場合には、内箱９が出入りするための開口４１が形成された形状をし、開口４１の形成によって並列する縦枠部４ａと横枠部４ｂを有する形状をする。開口４１はフレーム４に、収納部５内に配置される内箱９の個数分、形成される。フレーム４はまた、縦枠部４ａと横枠部４ｂになる複数本の枠材を例えば日の字形に組み立てることによっても形成される。
【００９６】
図面では上下の段板２、２間に１枚のフレーム４を配置し、１枚のフレーム４の背面に２個の内箱９、９（収納部５、５）を配置していることから、フレーム４に２個の開口４１、４１を形成しているが、図示する内箱９のほぼ２倍の幅を持つ１個の内箱９を配置することもある。その場合、フレーム４には内箱９の幅に対応した幅を持つ１個の開口４１が形成されるが、段板２の曲げ変形を拘束する中央部の縦枠部４ａが不在になるため、段板２にはフレーム４の支持がなくても曲げ変形しない程度の板厚が与えられ、さらし階段仕様の段板２が使用される。
【００９７】
フレーム４の背面に２個以上の内箱９、９が配置された場合にはまた、フレーム４はその内箱９の個数分に分割されることもある。例えば図示するように２個の内箱９、９が配置される場合に、フレーム４が中央の縦枠部４ａの位置で２分割されることもある。その場合、１枚のフレーム４は１個の開口４１を有し、長さ方向両側に縦枠部４ａを有する形になる。
【００９８】
フレーム４は縦枠部４ａと横枠部４ｂによって上段側の段板２を支持しながら、１個、もしくは複数個の収納部５を保持し得る剛性と強度を保有する必要があるため、縦枠部４ａと横枠部４ｂには一定寸法以上の幅が与えられる。フレーム４の中間部の縦枠部４ａは上段側の段板２の長さ方向中間部を支持する働きをするため、フレーム４の長さ方向中央部に位置することが適切である。
【００９９】
収納部５は図１０に示すように裏板７と共に予め箱形等に組み立てられた状態で、フレーム４に突き合わせられる。収納部５はフレーム４の背面に単に突き合わせられればよく、フレーム４には必ずしも接合されない。蹴込み板３の背面側の空間を有効に活用する上では、図示するように収納部５、すなわち複数の外部材６を四角柱状に組み立てることが合理的であるが、収納部５の形状は任意である。
【０１００】
収納部５を四角柱状に形成する場合、収納部５は４枚の外部材６と、１枚の裏板７から構成される。収納部５の上側に位置する外部材６の上面を上段側の段板２の下面に接触させることもできるが、図面では上側の横枠部４ｂの幅を確保するために、上段側の段板２と上側の外部材６との間に間隔調整材（スペーサ）８を介在させている。前記のようにフレーム４の横枠部４ｂはフレーム４の背面に配置された収納部５が上段側の段板２に接合されたときに、一定寸法以上の幅を有する必要があることによる。
【０１０１】
例えば収納部５の全高に亘って内箱９を収納した場合において、収納部５を上段側の段板２に直接接合するとすれば、フレーム４における開口４１の上端の縁を上段側段板２の下面に接近させることになる関係から、フレーム４の上側の横枠部４ｂに一定の幅を与えることができなくなる。そこで、収納部５をその上段側の段板２に、その段板２との間の間隔を調整する間隔調整材８を介して接合することにより、収納部５の位置が上段側の段板２より下がり、フレーム４における開口４１上端の縁の位置を下げることができるため、フレーム４の上側の横枠部４ｂに一定の幅を与えることが可能になる。
【０１０２】
間隔調整材８は上段側の段板２の下面（底面）と収納部５（上板５２）の上面に接触、もしくは密着した状態で、収納部５と共に上段側の段板２に接合されるため、段板２への接合状態での収納部５の安定性を確保し、収納部５のがたつきや振動を防止する機能も有する。間隔調整材８はフレーム４の背面にも接触（密着）するため、予め収納部５の上側に固定されていれば、収納部５の段板２への接合時に、間隔調整材８をフレーム４に接触させることで、位置決めの手掛かりとしても利用可能になる。
【０１０３】
間隔調整材８の形状は問われず、図５−（ａ）に示すような１枚の板状に形成される他、複数のブロックから構成されることもある。間隔調整材８は上側の外部材６と上段側の段板２との間に介在することで、収納部５を安定させて段板２に支持させる機能も有する。
【０１０４】
間隔調整材８を介在させる場合、間隔調整材８は例えば図５−（ａ）に示すように上側の外部材６と間隔調整材８自身を貫通し、上段側の段板２に到達する釘１０やねじ１１等によって段板２に接合される。この場合、収納部５も同時に段板２に接合され、間接的に側桁１に支持される。図９、図１０は間隔調整材８の段板２への接合に先立ち、間隔調整材８を上側の外部材６に予め接着剤１２等により接合した様子を示す。
【０１０５】
間隔調整材８を介在させない場合も、収納部５は同様に段板２に接合され、側桁１に支持される。外部材６と間隔調整材８を段板２に接合する釘１０の打ち込み作業やねじ１１の締め付け作業は、図５−（ａ）、図９に示すように収納部５を構成する下側の外部材６に作業用の開口６１を形成しておくことにより可能になる。
【０１０６】
収納部５の質量が大きくなることが想定される場合には、例えば図５−（ａ）において各間隔調整材８の上側に位置する段板２の側面に接合されるフレーム４の下端に接触するまで、間隔調整材８の幅を大きくし、上側の外部材６と間隔調整材８を貫通する釘１０やねじ１１を上側のフレーム４に到達させることもできる。
【０１０７】
図１１−（ａ）、（ｂ）は収納部５付き階段、すなわち階段収納部の完成状態を示す。内箱９は底板９１と側板９２の少なくともいずれか一方が収納部５の内周に摺動しながら、またはレールに案内されながら、出し入れされる。内箱９の引き出し状態で、前板９４の下端が下段側の段板２の上面に接触する可能性がある場合には、前板９４と段板２の磨耗や損傷を防止するために、前板９４が段板２から浮いた状態で出入りできるよう、内箱９の垂れ下がりが拘束される。
【０１０８】
図１１−（ｂ）は内箱９の収納部５への格納状態を示す。ここに示すように内箱９の格納状態では前板９４が蹴込み板３（フレーム４）の、開口３１（４１）回りの表面に密着するため、階段が内箱９付きの収納部５を備えながらも、表面上は収納部５がない様子に見え、収納部付き階段は整然とした外観を呈することが分かる。
【０１０９】
図１２は内箱９付きの収納部５を回り階段に設置したときの平面を示す。引き出し型の内箱９は基本的に蹴込み板３（フレーム４）に直交する方向に出し入れされることから、回り階段においては、原則として側桁１に垂直な方向を向く蹴込み板３の背面側に収納部５が配置される。直線階段の場合には、任意の、または全蹴込み板３の背面側に配置される。
【０１１０】
図１２の場合、側桁１に垂直でない蹴込み板３のある部分、すなわち階段内で回り込む部分においては、破線で示すように複数枚の段板２の背面側の空間を１個の収納部５として利用することができるため、側桁１に垂直な蹴込み板３の収納部５より収納部５の奥行きを大きく取ることが可能である。なお、側桁１に垂直でない蹴込み板３の背面においても、その奥行きの大きさに応じて段板２毎に収納部５を配置することは可能である。
【符号の説明】
【０１１１】
１……側桁
２……段板、２ａ……溝、
３……蹴込み板、３１……開口、
４……フレーム、４ａ……縦枠部、４ｂ……横枠部、４１……開口、
５……収納部、５１……底板、５１ａ……開口、５２……上板、５３……裏板、５４……側板、
６……ストッパ、６ａ……接続部、６ｂ……係合部、
７……被係合部、７ａ……傾斜面、
８……間隔調整材、
９……内箱、９１……底板、９２……側板、９３……後板、９４……前板、
１０……釘、
１１……ねじ、
１２……接着剤、
１３……検出器、
１４……電池。
【図１】
2011127309.tif 000003
【図２】
2011127309.tif 000004
【図３】
2011127309.tif 000005
【図４】
2011127309.tif 000006
【図５】
2011127309.tif 000007
【図６】
2011127309.tif 000008
【図７】
2011127309.tif 000009
【図８】
2011127309.tif 000010
【図９】
2011127309.tif 000011
【図１０】
2011127309.tif 000012
【図１１】
2011127309.tif 000013
【図１２】
2011127309.tif 000014